(57)【要約】  照明制御装置が提供される。照明制御装置は、非可視光を含み、且つ可視光の少なくとも大部分によって構成される部分範囲を除外する第１のスペクトル範囲内の光を感知するように構成された第１の光センサ構成と、上記の部分範囲の少なくとも一部を含む第２のスペクトル範囲内の光を感知するように構成された第２の光センサ構成とを有する光センサデバイスを備える。更に、照明制御装置は制御ユニットを備え、制御ユニットは、光センサデバイスに接続され、第１の光センサ構成の出力信号と、日光の赤外スペクトルのスペクトルパワー分布と日光の可視スペクトルのスペクトルパワー分布との関係を特徴付ける所定の関数とに基づいて日光の量を決定し、第２の光センサ構成の出力信号及び第１の光センサ構成の出力信号に基づいて人工光の量を決定するように構成される。照明制御装置は、日光と人工光との上記の量に基づいて照明を制御するように構成される。
2016528701.tif 000002
【特許請求の範囲】
【請求項１】
−  非可視光を含み、且つ可視光の少なくとも大部分によって構成される部分範囲を除外する第１のスペクトル範囲内の光を感知する第１の光センサ構成と、前記部分範囲の少なくとも一部を含む第２のスペクトル範囲内の光を感知する第２の光センサ構成とを備える光センサデバイスと、
−  前記光センサデバイスに接続され、前記第１の光センサ構成の出力信号と、日光の赤外スペクトルのスペクトルパワー分布と日光の可視スペクトルのスペクトルパワー分布との関係を特徴付ける既定の関数とに基づいて日光の量を決定し、前記第２の光センサ構成の出力信号、及び前記第１の光センサ構成の出力信号に基づいて人工光の量を決定する制御ユニットと
を備え、
−  前記日光の量と前記人工光の量とに基づいて照明を制御する、照明制御装置。
【請求項２】
前記光センサデバイスは、非可視光と可視光との両方に対して感度を有する全範囲フォトセルと、フィルタデバイスとを備え、前記フィルタデバイスは、前記フォトセルの前に配置され、少なくとも２つの異なるスペクトルモード間で切替え可能であり、前記第１のスペクトル範囲内の光を前記フィルタデバイスが通す第１のスペクトルモードと、前記第２のスペクトル範囲内の光を前記フィルタデバイスが通す第２のスペクトルモードとを備える、請求項１に記載の照明制御装置。
【請求項３】
前記フィルタデバイスは、異なる光源からの寄与を分別するために、異なるスペクトルの光を放出する異なる光源に関係付けられる異なるスペクトルモードのために設定可能である、請求項２に記載の照明制御装置。
【請求項４】
切替え可能な前記フィルタデバイスは、通過する光を偏光する光学素子を備える、請求項２又は３に記載の照明制御装置。
【請求項５】
前記光学素子の時間的スイッチング特性は、前記フォトセルによってその光が感知される周囲光源の既知の時間的変調に対して最適化されている、請求項４に記載の照明制御装置。
【請求項６】
前記第１の光センサ構成は、非可視光のみに対して感度を有する第１のフォトセルを備え、前記第２の光センサ構成は、可視光のみに対して感度を有する第２のフォトセルを備える、請求項１に記載の照明制御装置。
【請求項７】
前記第１の光センサ構成は、赤外光のみを感知する、請求項１乃至６の何れか一項に記載の照明制御装置。
【請求項８】
光源と、当該光源の光出力レベルを制御するために前記光源に接続された請求項１乃至７の何れか一項に記載の照明制御装置とを備える、照明装置。
【請求項９】
前記光センサデバイスの視野は、前記光源の照明のフットプリントと一致されている、請求項８に記載の照明装置。
【請求項１０】
請求項１乃至７の何れか一項に記載の照明制御装置を備え、日光及び人工光の両方からのトータル照明の寄与に基づいて環境の照明を制御するための装置であって、少なくとも一つの照明装置を含む当該照明装置のセットの光出力を制御するために、前記照明装置のセットと接続可能である、装置。
【請求項１１】
前記照明装置の設定を制御するために窓ブラインドと更に接続可能である、請求項１０に記載の装置。
【請求項１２】
主として前記窓ブラインドを制御し、副次的に前記照明装置のセットを制御することによって、前記環境の照度を増大する、請求項１１に記載の装置。
【請求項１３】
エネルギー節約の可能性を推定するためのデータロガーであって、前記データロガーは、環境内の照度の突然の変化を検出し、請求項１乃至７の何れか一項に記載の照明制御装置を備え、前記データロガーは、照度の突然の変化が前記照明制御装置によって日光又は人工光の変化によって引き起こされたものであるかを判断する、データロガー。
【請求項１４】
全照明に対する日光と人工光とからの寄与を決定するための方法であって、準備部分と、動作中に繰り返される動作部分とを含み、前記準備部分が、
−  第１の光センサ構成によって、日光の赤外スペクトルのスペクトルパワー分布を測定するステップと、
−  第２の光センサ構成によって、日光の可視スペクトルのスペクトルパワー分布を測定するステップと、
−  日光の赤外スペクトルのスペクトルパワー分布と日光の可視スペクトルのスペクトルパワー分布との関係を特徴付ける関数を決定するステップと
を含み、
前記動作部分が、
−  前記第１の光センサ構成によって、日光と人工光とを含む混合光の赤外スペクトルのスペクトルパワー分布として第１の因子を測定するステップと、
−  前記第２の光センサ構成によって、混合光の可視スペクトルのスペクトルパワー分布として第２の因子を測定するステップと、
−  前記第１の因子に対して関数を適用することによって、前記第２の因子の日光成分を決定するステップと、
−  前記第２の因子と前記日光成分との差として、前記第２の因子の人工光成分を決定するステップと、
−  前記日光成分によって日光照度を決定するステップと、
−  前記人工光成分によって人工光照度を決定するステップと
を含む、方法。
【請求項１５】
前記日光照度を決定するステップは、標準スペクトル照度効率関数及び日光成分の積分を決定するステップを有し、前記人工光照度を決定するステップは、前記標準スペクトル照度効率関数及び人工光成分の積分を決定するステップを有する、請求項１４に記載の方法。
【発明の詳細な説明】
【技術分野】
【０００１】
本発明は、照明制御装置に関する。
【背景技術】
【０００２】
今日、照明制御装置によって行われる屋内照明デバイスに関する照明制御があり、照明制御装置が、構内での光のレベルを検出し、それに従って１組の照明デバイスの光出力レベルを制御し、ここで、１組の照明デバイスの光出力レベルは、検出された照明レベルに従って設定される。そのような照明制御の目的は、制御される照明デバイスによって提供される照明レベルを最小限にしつつも、１組の、即ち１つ又は複数の照明デバイスによってカバーされる領域内で望みの全照明を得ることによって、エネルギーを節約することである。しかし、日光と人工光との検出された光を容易に区別することが可能であることが有利となる。
【発明の概要】
【発明が解決しようとする課題】
【０００３】
全照明に対する日光の寄与を決定するための解決策を提供することが有利である。
【課題を解決するための手段】
【０００４】
この問題により良く対処するために、本発明の第１の態様では、照明制御装置であって、
−  非可視光を含み、且つ可視光の少なくとも大部分によって構成される部分範囲を除外する第１のスペクトル範囲内の光を感知するように構成された第１の光センサ構成と、上記の部分範囲の少なくとも一部を含む第２のスペクトル範囲内の光を感知するように構成された第２の光センサ構成とを備える光センサデバイスと、
−  光センサデバイスに接続され、第１の光センサ構成の出力信号と、日光の赤外スペクトルのスペクトルパワー分布と日光の可視スペクトルのスペクトルパワー分布との関係を特徴付ける既定の関数とに基づいて日光の量を決定し、第２の光センサ構成の出力信号、及び第１の光センサ構成の出力信号に基づいて人工光の量を決定するように構成された制御ユニットと
を備え、
−  照明制御装置が、日光と人工光との上記の量に基づいて照明を制御するように構成される
照明制御装置が提供される。
【０００５】
照明制御装置の動作は、現代の光源が、日光に存在する非可視光の量に比べて非可視光を全く又はごくわずかな量しか放出しないという条件を使用する。更に、日光における非可視光と可視光との関係は、予め求められており、関数として予め規定される。従って、第１の光センサ構成は、単に又は主に非可視光を検出し、この非可視光は、日光のみからのものであるか、少なくとも大部分が日光からのものである。第２の光センサ構成は、上記の部分範囲の少なくとも一部を含む第２のスペクトル範囲内の光を感知するように構成され、ここで、制御ユニットは、第２の光センサ構成の出力信号、第１の光センサ構成の出力信号、及び所定の関数に基づいて、光センサデバイスによって受け取られた日光と人工光とを区別するように構成される。
【０００６】
照明制御装置の一実施形態によれば、光センサデバイスは、非可視光と可視光との両方に対して感度を有する全範囲フォトセルと、フィルタデバイスとを備え、フィルタデバイスは、フォトセルの前に配置され、少なくとも２つの異なるスペクトルモード間で切替え可能であり、上記の第１のスペクトル範囲内の光をフィルタが通す第１のスペクトルモードと、第２のスペクトル範囲内の光をフィルタが通す第２のスペクトルモードとを備える。それにより、融通の利くコンパクトな解決策が得られている。
【０００７】
照明制御装置の一実施形態によれば、フィルタは、異なるスペクトルの光を放出する異なる光源に関係付けられる異なるスペクトルモードのために構成可能であり、異なる光源からの寄与を分別する。
【０００８】
照明制御装置の一実施形態によれば、切替え可能なフィルタは、通過する光を偏光するように構成された光学素子を備える。それにより、センサデバイスは、異なる種類の光源からの光の偏光特性に合うように調整され得る。偏光は、最初に設定された後に固定されてよく、又は調節可能でもよい。
【０００９】
照明制御装置の一実施形態によれば、光学素子の時間的スイッチング特性は、フォトセルによってその光が感知される周囲光源の既知の時間的変調に対して最適化されている。それにより、光センサデバイスによってその光が感知される近傍の光源の時間的変調に照明制御装置を適合させることが可能である。
【００１０】
照明制御装置の一実施形態によれば、第１の光センサ構成は、非可視光のみに対して感度を有する第１のフォトセルを備え、第２の光センサ構成は、可視光のみに対して感度を有する第２のフォトセルを備える。これは、フォトセルとフィルタとの上記の組合せの使用に対する代替形態である。
【００１１】
照明制御装置の一実施形態によれば、第１の光センサ構成は、赤外光のみを感知するように構成される。現代の光源では、赤外成分は、ゼロであるか、又は日光における赤外成分に比べて小さい。従って、赤外光センサの出力は、日光に関連付けられるとみなされ得る。
【００１２】
本発明の別の態様によれば、光源と、上記の照明制御装置とを備える照明デバイスが提供される。
【００１３】
本発明の別の態様によれば、全照明に対する日光と人工光との両方からの寄与に基づいて環境の照明を制御するための装置であって、上記の照明制御装置を備える装置が提供される。
【００１４】
本発明の別の態様によれば、エネルギー節約の可能性を推定するためのデータロガーであって、上記の照明制御装置を備えるデータロガーが提供される。
【００１５】
本発明の別の態様によれば、全照明に対する日光と人工光とからの寄与を決定するための方法であって、準備部分、動作中に繰り返される動作部分とを含み、準備部分が、
−  第１の光センサ構成によって、日光の赤外スペクトルのスペクトルパワー分布を測定するステップと、
−  第２の光センサ構成によって、日光の可視スペクトルのスペクトルパワー分布を測定するステップと、
−  日光の赤外スペクトルのスペクトルパワー分布と日光の可視スペクトルのスペクトルパワー分布との関係を特徴付ける関数を決定するステップと
を含み、
動作部分が、
−  第１の光センサ構成によって、日光と人工光とを含む混合光の赤外スペクトルのスペクトルパワー分布として第１の因子を測定するステップと、
−  第２の光センサ構成によって、混合光の可視スペクトルのスペクトルパワー分布として第２の因子を測定するステップと、
−  第１の因子に対して関数を適用することによって、第２の因子の日光成分を決定するステップと、
−  第２の因子とその日光成分との差として、第２の因子の人工光成分を決定するステップと、
−  日光成分によって日光照度を決定するステップと、
−  人工光成分によって人工光照度を決定するステップと
を含む方法が提供される。
【００１６】
以下、本発明をより詳細に、添付図面を参照して述べる。
【図面の簡単な説明】
【００１７】
【図１】本発明による照明制御装置の一実施形態のブロック図である。
【図２】照明制御装置が使用される環境の一例を示す図である。
【図３】典型的な日光と人工光とのスペクトルを示すグラフである。
【図４】本発明による照明制御装置の更なる実施形態を示すブロック図である。
【図５】本発明による照明制御装置の更なる実施形態を示すブロック図である。
【図６】本発明による照明制御装置の更なる実施形態を示すブロック図である。
【図７】照明制御装置を備える照明デバイスのブロック図である。
【図８】本発明による照明制御装置の基本的な実施形態のブロック図である。
【図９】日光のスペクトル分布を示すグラフである。
【図１０】照明制御装置のある用途を示す図である。
【図１１】照明制御装置の別の用途を示す図である。
【発明を実施するための形態】
【００１８】
照明制御装置１００の一実施形態によれば、照明制御装置１００は、光センサデバイス１０１と、第１の光センサ構成１０２と、第２の光センサ構成１０３と、制御ユニット１０４とを備える。第１の光センサ構成１０２は、第１のスペクトル範囲内の光を感知するように構成され、第１のスペクトル範囲は、非可視光を含み、且つ可視光の少なくとも大部分によって構成される部分範囲を除外する。第２の光センサ構成１０３は、第２のスペクトル範囲内の光を感知するように構成され、第２のスペクトル範囲は、上記の部分範囲の少なくとも一部を含む。現代の人工光源、例えばＬＥＤ（発光ダイオード）ベースの光源は、可視光、即ちヒトの眼に知覚可能な波長に集中され、放出される可視光の量に対して非可視光を全く又はほとんど放出しない光スペクトルを有するように設計される。逆に、自然光、即ち日光は、比較的多量の非可視光、特に赤外光を含む。これは図３に例示されており、図３で、上側のグラフは、日光の相対スペクトル分布を表し、下側のグラフは、白色ＬＥＤの相対スペクトル分布を表す。一般に、約７００ｎｍ〜１ｍｍの範囲内の波長が赤外光と規定され、約１００ｎｍ〜４００ｎｍの範囲内の波長が紫外光と規定される。したがって、上で規定されるような光センサ構成１０２、１０３を区別することによって、第１の光センサ構成１０２は、主に（非可視の）日光を検出し、その出力は、日光の総量を決定するために使用される。また、第２の光センサ構成１０３は、存在する場合には他の光源、即ち人工照明を感知し、第１の光センサ構成１０２と第２の光センサ構成１０３との出力を比較することによって、制御ユニット１０４は、日光と人工光との関係を決定することが可能である。制御ユニットは、照明制御装置１００の出力端子１０５でその結果を提供する。全般的な規定として、第１の光センサ構成１０２は、第１のスペクトル範囲内の光を感知するように構成され、第１のスペクトル範囲は、非可視光を含み、且つ可視光の少なくとも大部分によって構成される部分範囲を除外し、第２の光センサ構成１０３は、第２のスペクトル範囲内の光を感知するように構成され、第２のスペクトル範囲は、上記の部分範囲の少なくとも一部を含む。例えば、第１のスペクトル範囲は、赤外スペクトルでよく、部分範囲は、可視光の全範囲及び紫外光の範囲である。第２のスペクトル範囲は、可視光と非可視光との両方の全範囲でよい。日光における赤外光と可視光との量の関係は、大気の様々な高度での日光のスペクトル分布を示す図９に示されるように既知であり、日光の赤外スペクトルのスペクトルパワー分布と日光の可視スペクトルのスペクトルパワー分布との関係を特徴付ける関数として予め規定され得る。更に、人工光源の波長成分は、可視波長のみによって近似され得る。それにより、制御ユニット１０４は、光センサデバイス１０１によって感知される日光の量と人工光の量を決定し、対応する制御情報を、照明制御装置１００に接続された装置に提供することが可能であり、そのような装置の例は以下に示す。代替形態又は追加のオプションとして、光センサ構成１０２、１０３は、試運転動作として、日光の無い状態や最大限の日光等に関して較正され得る。
【００１９】
赤外光のみと可視光のみ又は可視範囲の一部だけとの組合せ；紫外光のみと可視光のみとの組合せ等、第１のスペクトル範囲と第２のスペクトル範囲の多くの他の組合せが実現可能であるが、スペクトル範囲の１つは、存在する日光の量を推定するための基礎として働くように非可視波長の範囲に集中されるべきである。日光は、当然、日光の無い状態から最大限の太陽光までの範囲内にあり得る。
【００２０】
例示的な状況が図２に示されており、図２において、照明制御装置１００は、ここでは部屋によって例示される環境内に配置された装置２００内に含まれており又は装置２００を構成しており、部屋の照明を制御し、また、照明制御装置１００は、ここでは幾つかの照明器具２０１を含む１組の照明デバイス２０１に接続されており、部屋又は少なくとも部屋の重要な部分、例えば作業場所やデスクを照明する。図２では、装置２００は、独立したデバイスとして示されているが、代替形態として照明器具２０１と一体化され得る。照明制御装置１００は、部屋の照明器具２０１と、窓２０２を通って部屋に入る日光との両方によって引き起こされる照明を検出する。また、時として部屋の照明に寄与する室外の他の人工照明デバイス２０３も存在し得る。全照明を測定することのみによって照明器具の光出力レベルを制御するための従来技術のシステムは、日光と人工光とに対する光センサの異なる感度の問題がある。これは、全照明に対する日光の寄与が異なるときに、照明器具の最適でない設定を引き起こす。照明制御装置１００は、全照明に対する日光と人工光とからのそれぞれの寄与を個別に決定することが可能であるので、様々な日光条件に関して照明器具２０１の光出力レベルをより正確に且つより最適に設定することが可能である。装置２００は、いわゆる日光収集照明制御システムでよい。
【００２１】
図１０に示されるような更なる実施形態として、部屋等の環境の照明を制御するための装置１０００は、図２に示される装置と同様であるが、装置１０００は、部屋の１組の照明デバイス１００１に接続されることに加えて、窓１００３にある電動式の窓ブラインド１００２にも接続されて、ブラインドの設定を制御する。好ましくは、装置１０００は、主としてブラインド１００２を制御し、副次的に１組の照明デバイス１００１を制御することによって、部屋の照度を増加するように構成される。それにより、日光が最大限に使用され、照明システムのエネルギー効率を最適化する。
【００２２】
更に、照明制御装置１００は、エネルギー節約の可能性を推定するためのデータロガーに適用可能であり、データロガーは、環境内の照度の突然の変化を検出するように構成される。照明制御装置１００によって行われる日光と人工光との個別化された検出によって、データロガーは、照明制御装置を用いて、照度の突然の変化が日光の変化によって引き起こされたものであるか、それとも人工光の変化によって引き起こされたものであるかを判断することが可能である。それにより、例えば、高速で流れる雲が太陽を覆うときに生じる照明の突然の低下が正しく解釈され、人工光がオフに切り替えられたものと解釈されることがない。
【００２３】
図１１に示されるような照明デバイス１１００の一実施形態によれば、照明制御装置１１０１は、照明デバイス１１００と一体化され、又は照明デバイス１１００の何らかの他の位置に取り付けられ、そのただ１つの照明デバイス１１００の光出力を制御するように構成される。照明制御装置１１０１の視野（ＦｏＶ）１１０２は、照明デバイス１１００内に含まれる光源のフットプリント１１０３と一致されている。照明制御装置１１０１の視野が、照明デバイス１１００によって照明される領域と少なくとも実質的に一致していることが、測定の精度に関して有利である。しかし、時間や時季により、日光や近隣の人工光源１１０４等、照明制御装置１１０１の視野１１０２内の全照明に寄与する幾つかの光源が存在することがあり得る。照明制御装置１１０１は、典型的には、寄与する他の全ての照明を考慮に入れて光源１１０２の光出力を制御するために使用される。日光と人工光の関係に関する詳細な知識により、従来技術の光源制御に比べて制御が改良される。
【００２４】
図４に示されるような照明制御装置４００の一実施形態によれば、照明制御装置４００は光センサデバイス４０１を備え、光センサデバイス４０１は、フォトセル４０２と、フォトセル４０２の前に配置された切替え可能なフィルタ４０３とを含む。照明制御装置４００は、光センサデバイス４０１に接続された制御ユニット４０４と、制御ユニット４０４に接続された出力端子４０５とを更に備える。フォトセル４０２は、全範囲フォトセルであり、即ち非可視光と可視光の両方に対して感度を有する。この実施形態では、フォトセル４０２と切替え可能なフィルタ４０３が合わさって、上述した第１の光センサ構成１０２及び第２の光センサ構成１０３を実装する。フィルタ４０３は、少なくとも２つの異なるスペクトルモードの間で切替え可能である。第１のスペクトルモードでは、フィルタ４０３は、上述した第１のスペクトル範囲に従って光を通すように構成され、第２のスペクトルモードでは、フィルタ４０３は、上述した第２のスペクトル範囲に従って光を通すように構成される。
【００２５】
照明制御装置４００の視野内に照明を提供する近隣の光源が存在し、近隣の光源が異なるスペクトルを有する光を放出するとき、更なる実施形態によれば、切替え可能なフィルタ４０３は、それらの異なるスペクトルに適合する異なるスペクトルモードのために構成可能である。それにより、異なる光源からの寄与を分別し、それに基づいて、照明制御装置４００が接続されている光源を制御することが可能である。例えば、特定の全照明レベルや特定の色温度等を取得することが望ましいことがある。
【００２６】
図５に示されるような照明制御装置５００の更なる実施形態によれば、照明制御装置５００は、光センサデバイス５０１と、光センサデバイス５０１に接続された制御ユニット５０４とを備える。光センサデバイス５０１は、フォトセル５０２と、フォトセル５０２の前に配置された切替え可能なフィルタ５０３と、フィルタ５０３の前に配置された光学素子５０４とを備える。光学素子は、調節可能な偏光特性を有する。光学素子５０４を調節することによって、その偏光特性は、日光又は異なる種類の光源からの光の偏光特性と一致され得る。オプションとして、光学素子５０４は、固定された偏光特性を有するか、又は最初に設定され、その後は変更されない。
【００２７】
光学素子５０４は、その時間的スイッチング特性を周囲の光源の時間的変調に合わせるために、時間的スイッチングの追加機能を装備され得る。これは、ある光源を別の光源と区別する別の又は追加の方法である。従って、上述のフォトセルをサンプリングすることによって同様の効果が実現され得る。
【００２８】
図６に示されるような照明制御装置６００の更に別の実施形態によれば、照明制御装置６００は、光センサデバイス６０１と、制御ユニット６０４とを備える。光センサデバイス６０１は、第１のフォトセル６０２と第２のフォトセル６０３とを備える。第１のフォトセル６０２は、非可視光のみに対して感度を有し、第２のフォトセル６０３は、可視光のみに対して感度を有する。
【００２９】
図７に示されるように、照明制御装置は、照明デバイス７００で有利に使用され、照明デバイス７００は、ＬＥＤ等の少なくとも１つの光源７０１と、光出力制御装置７０２とを備え、光出力制御装置７０２は、照明制御装置７０３と、照明制御装置７０３に接続された光源制御装置７０４と、駆動ユニット７０５とを備え、駆動ユニット７０５は、光源制御装置７０４及び光源７０１に接続されて、上記の少なくとも１つの光源７０１、従って照明デバイス７００の光出力を制御する。従って、照明制御装置７０３は、駆動ユニット７０５の出力信号レベルを設定する。
【００３０】
全照明に対する日光と人工光とからの寄与を決定する方法の一実施形態は、準備部分と動作部分を備える。この方法は、照明制御装置によって行われる。しかし、準備部分は、他のデバイス及びユーザアクションにも関わる。
【００３１】
上述したように、日光スペクトルの可視成分は、ＩＲスペクトル測定を使用して近似され得る。これは、それらの間に比例関係があるためである。本実施形態により実際に測定されるものはスペクトルパワー分布（ＳＰＤ：Spectral Power Distribution）であり、これは、照明の単位波長当たり、単位面積当たりのパワー（放射発散度）を表す。測定の精度を保証するために、準備部では、上述の実施形態の任意の１つに従って、日光の赤外スペクトルのＳＰＤ、即ちＩ（λ）が第１の光感知構成によって測定され、日光の可視スペクトルのＳＰＤ、即ちＳ（λ）が第２の光センサ構成によって測定される。ここで、日光の赤外スペクトルのＳＰＤと日光の可視スペクトルのＳＰＤとの関係を特徴付ける関数が、以下のように決定される。
Ｓ（λ）＝Ｆ（Ｉ（λ））      式１
上の関数は、所与の日光のＩＲ成分のＳＰＤに対して、日光の可視成分のＳＰＤを近似する。関数Ｆは、回帰分析等の既知の数学的技法に基づいて導出される。関数Ｆは、ＩＲセンサの種類に特有のものでよい。異なるタイプのＩＲセンサに関して、関数Ｆは異なることがある。関係が特徴付けられた後、その関係は、以下に説明するように使用され得る。
【００３２】
動作部分は、以下の動作を含む。混合の全光から、日光と人工光のＳＰＤが分別されなければならない。これは、第１の光センサ構成によって、混合光のＩＲスペクトルのＳＰＤ、即ちＩ（λ）として第１の因子を測定し、第２の光センサ構成によって、混合光の可視スペクトルのＳＰＤ、即ちＭ（λ）として第２の因子を測定することによって行われる。次いで、第１の因子に適用される式１、即ちＳ（λ）＝Ｆ（Ｉ（λ））を使用して、日光の可視スペクトルのＳＰＤが決定される。
【００３３】
次いで、Ａ（λ）として表される人工光の可視スペクトルのＳＰＤが、第２の因子から可視日光のＳＰＤを引いた値として決定される。即ち以下のようである。
Ａ（λ）＝Ｍ（λ）−Ｆ（Ｉ（λ））      式２
【００３４】
日光照度Ｉｄは、以下の式に従って、可視スペクトルのＳＰＤ、即ちＳ（λ）によって決定される。
Ｉｄ＝６８３∫Ｖ（λ）Ｓ（λ）ｄλ
【００３５】
人工光照度Ｉａは、以下の式に従って、人工光のＳＰＤ、即ちＡ（λ）によって決定される。
Ｉａ＝６８３∫Ｖ（λ）Ａ（λ）ｄλ
Ｖ（λ）は、ＣＩＥによって標準化されたスペクトル照度効率関数であり、視感関数としても知られている。
【００３６】
本発明を、図面及び上記の説明で詳細に例示して述べてきたが、そのような例示及び説明は、例示的又は例説的なものであり、限定的なものとみなされるべきではない。本発明は、開示される実施形態に限定されない。
【００３７】
開示される実施形態に対する他の変形形態は、図面、本開示、及び添付の特許請求の範囲を検討すれば、当業者によって理解され得て、特許請求される発明を実践する際に実施され得る。特許請求の範囲において、用語「備える」は、他の要素又はステップを除外せず、単数詞は、複数を除外しない。単一の処理装置又は他のユニットが、特許請求の範囲に記載される複数の要素の機能を満たすことがある。特定の手段が相互に異なる従属請求項に記載されていることだけでは、これらの手段の組合せが有利に使用され得ないことを示さない。コンピュータプログラムは、他のハードウェアと共に又はその一部として提供される光記憶媒体又はソリッドステート媒体等の適切な媒体に記憶又は分散され得るが、インターネット又は他の有線若しくは無線電気通信システムを介して等、他の形態で分散されてもよい。特許請求の範囲内の任意の参照符号は、範囲を限定するものとみなされるべきではない。
【図１】
2016528701.tif 000003
【図２】
2016528701.tif 000004
【図４】
2016528701.tif 000005
【図５】
2016528701.tif 000006
【図６】
2016528701.tif 000007
【図７】
2016528701.tif 000008
【図８】
2016528701.tif 000009
【図１０】
2016528701.tif 000010
【図１１】
2016528701.tif 000011
【図３】
2016528701.tif 000012
【図９】
2016528701.tif 000013
【国際調査報告】
2016528701.tif 000014
2016528701.tif 000015